(57)【要約】【課題】車椅子等に着座した使用者がより使用しやすい洗面台を提供すること。【解決手段】洗面ボール１０と脚進入空間４０とを備える洗面台１であって、洗面ボール１０は、手前側から奥側に向かって下り傾斜すると共に下方に向かって凸となるように湾曲した傾斜部１１と、平面視において手前側の端部が手前側に向かって凸となるように湾曲した手前側湾曲部１２とを備えると共に、手前側の端部の床面Ｇからの高さＨ１が７５０ｍｍ〜８５０ｍｍであり、手前側の端部から奥側に２００ｍｍの位置の床面Ｇからの高さＨ２が６５０ｍｍ以上であり、かつ、手前側の端部から奥側に２００ｍｍの位置の高さＨ２が手前側の端部の高さＨ１よりも１００ｍｍ以上低い。【選択図】図３
2014014623.tif 000002
【特許請求の範囲】
【請求項１】
床面から所定の高さに配置される洗面ボールと、該洗面ボールの下方に形成され着座した使用者の脚を進入可能な脚進入空間と、を備える洗面台であって、
前記洗面ボールは、
該洗面ボールの手前側から奥側に向かって下り傾斜すると共に、下方に向かって凸となるように湾曲した傾斜部と、平面視において該洗面ボールの手前側の端部が手前側に向かって凸となるように湾曲した手前側湾曲部と、を備えると共に、
手前側の端部の前記床面からの高さが７５０ｍｍ〜８５０ｍｍであり、該手前側の端部から奥側に２００ｍｍの位置の前記床面からの高さが６５０ｍｍ以上であり、かつ、前記手前側の端部から奥側に２００ｍｍの位置の高さが該手前側の端部の高さよりも１００ｍｍ以上低い洗面台。
【請求項２】
前記洗面ボールは、前記傾斜部の奥側に設けられ、該傾斜部の奥側の端部よりも深さの深い深底部を更に備える請求項１に記載の洗面台。
【請求項３】
前記傾斜部は、前記洗面ボールの手前側の端部から奥側に２００ｍｍの範囲に亘って形成される請求項１又は２に記載の洗面台。
【発明の詳細な説明】
【技術分野】
【０００１】
本発明は、車椅子等に着座した状態で使用可能な洗面台に関する。
【背景技術】
【０００２】
従来、洗面ボールの下方に、着座した使用者の脚が進入可能な脚進入空間を設け、車椅子等に着座した状態で使用可能な洗面台が提案されている（例えば、特許文献１参照）。
このような洗面台では、洗面ボールの上面は、着座した使用者の肘を支持できる高さに配置する必要がある。また、洗面ボールの下面は、着座した状態の使用者の脚が進入できる高さに配置する必要がある。そのため、脚進入空間を設けた洗面台においては、洗面ボールの上面の高さ及び底部の下面の高さが制限されることにより、洗面ボールの深さが比較的浅くなってしまう。
【先行技術文献】
【特許文献】
【０００３】
【特許文献１】特開２００１−３２３４４号公報
【発明の概要】
【発明が解決しようとする課題】
【０００４】
ところで、洗面台は、洗面や手洗いを行う場合に使用される他、洗髪を行う場合にも使用される。しかしながら、以上のように、洗面ボールの深さを浅く構成すると、洗面台において洗髪を行う場合に洗面ボールに十分に頭を入れられず、洗髪中に洗面ボールから水がはねてしまう。
【０００５】
従って、本発明は、車椅子等に着座した使用者がより使用しやすい洗面台を提供することを目的とする。
【課題を解決するための手段】
【０００６】
本発明は、床面から所定の高さに配置される洗面ボールと、該洗面ボールの下方に形成され着座した使用者の脚を進入可能な脚進入空間と、を備える洗面台であって、前記洗面ボールは、該洗面ボールの手前側から奥側に向かって下り傾斜すると共に、下方に向かって凸となるように湾曲した傾斜部と、平面視において該洗面ボールの手前側の端部が手前側に向かって凸となるように湾曲した手前側湾曲部と、を備えると共に、手前側の端部の前記床面からの高さが７５０ｍｍ〜８５０ｍｍであり、該手前側の端部から奥側に２００ｍｍの位置の前記床面からの高さが６５０ｍｍ以上であり、かつ、前記手前側の端部から奥側に２００ｍｍの位置の高さが該手前側の端部の高さよりも１００ｍｍ以上低い洗面台に関する。
【０００７】
また、前記洗面ボールは、前記傾斜部の奥側に設けられ、該傾斜部の奥側の端部よりも深さの深い深底部を更に備えることが好ましい。
【０００８】
また、前記傾斜部は、前記洗面ボールの手前側の端部から奥側に２００ｍｍの範囲に亘って形成されることが好ましい。
【発明の効果】
【０００９】
本発明によれば、車椅子等に着座した使用者がより使用しやすい洗面台を提供できる。
【図面の簡単な説明】
【００１０】
【図１】本発明の第１実施形態に係る洗面台を示す斜視図である。
【図２】第１実施形態の洗面台の平面図である。
【図３】図２のＸ−Ｘ線断面図である。
【図４】図２のＹ−Ｙ線断面図である。
【図５】第１実施形態の洗面台の使用状態を示す側面図であり、車椅子に着座した使用者が洗面台に向かい合った状態を示す図である。
【図６】第１実施形態の洗面台の使用状態を示す側面図であり、車椅子に着座した使用者が水栓に手を伸ばした状態を示す図である。
【図７】第１実施形態の洗面台の使用状態を示す側面図であり、車椅子に着座した使用者が洗髪を行っている状態を示す図である。
【図８】本発明の第２実施形態に係る洗面台を示す断面図であり、図３に対応する図である。
【発明を実施するための形態】
【００１１】
以下、本発明の洗面台の好ましい各実施形態について、図面を参照しながら説明する。
まず、本発明の第１実施形態に係る洗面台１つき、図１〜図４を参照しながら説明する。
【００１２】
第１実施形態の洗面台１は、洗面所等の壁面に取り付けられて固定される。この洗面台１は、図１及び図２に示すように、洗面ボール１０と、この洗面ボール１０と一体的に形成される洗面カウンター２０と、水栓３０と、洗面ボール１０の下方に形成された脚進入空間４０と、を備える。
【００１３】
洗面ボール１０は、図１及び図２に示すように、壁面に平行な方向である左右方向に長い平面視略楕円形状の椀状に形成される。この洗面ボール１０は、図２〜図４に示すように、傾斜部１１と、手前側湾曲部１２と、排水口１３と、を備える。
傾斜部１１は、洗面ボール１０の手前側に形成される。この傾斜部１１は、図３に示すように、洗面ボール１０の手前側から奥側に向かって下り傾斜すると共に、下方に向かって凸となるように湾曲した形状を有している。
第１実施形態では、傾斜部１１は、少なくとも洗面ボール１０の手前側の端部から奥側に２００ｍｍの範囲に亘って形成される。
【００１４】
手前側湾曲部１２は、図２に示すように、平面視において洗面ボール１０の手前側の端部が手前側に向かって凸となるように湾曲した形状を有している。
排水口１３は、洗面ボール１０の左右方向の中央部における奥側寄りに配置される。この排水口１３には、排水管１４（図１及び図３参照）が接続される。
第１実施形態では、洗面ボール１０の奥行き方向の長さＬ１は、４００ｍｍ〜５００ｍｍ、左右方向の長さＬ２は、４５０ｍｍ〜５００ｍｍである。
【００１５】
洗面カウンター２０は、洗面台１の設置箇所における壁面に取り付けられ、洗面ボール１０を床面Ｇから所定の高さの位置に保持する。洗面カウンター２０の手前側は、図４に示すように、洗面ボール１０の上面と同じ高さとなっており、洗面カウンター２０の奥側は、図３に示すように、洗面ボール１０の上面よりも一段高くなっている。
第１実施形態では、洗面カウンター２０及び洗面ボール１０は、合成樹脂部材により一体成形されて構成される。
【００１６】
水栓３０は、水が吐出される蛇口３１と、この蛇口３１からの吐水量を調整するレバー３２と、を備える。
蛇口３１は、洗面カウンター２０における洗面ボール１０の奥側に配置される。この蛇口３１は、ホース部と、このホース部の先端に取り付けられた吐水部と、を備える（いずれも図示せず）。
レバー３２は、蛇口３１とは別体で構成されており、洗面カウンター２０における洗面ボール１０の右側に配置される。
【００１７】
以上の水栓３０は、レバー３２を操作することにより、蛇口３１からの水の吐出を調節できる。また、蛇口３１は、吐水部を把持してホース部を洗面カウンター２０から引き出し可能に構成されている。
【００１８】
脚進入空間４０は、洗面ボール１０及び洗面カウンター２０の下方に形成される。この脚進入空間４０は、車椅子等に着座した状態の使用者の脚が進入可能な高さに形成される。
より具体的には、第１実施形態の洗面台１では、図３に示すように、洗面ボール１０の手前側の端部の上面の床面Ｇからの高さＨ１は、７５０ｍｍ〜８５０ｍｍとなっている。また、洗面ボール１０の手前側の端部から奥側に２００ｍｍの位置の下面の床面Ｇからの高さＨ２は、６５０ｍｍ以上となっている。更に、洗面ボール１０の手前側の端部から奥側に２００ｍｍの位置の高さＨ２は、洗面ボール１０の手前側の端部の高さＨ１よりも１００ｍｍ以上、より好ましくは１３０ｍｍ以上低く構成されている。即ち、洗面ボール１０における手前側の端部から奥側に２００ｍｍの位置の深さＨ３は、１００ｍｍ以上、より好ましくは１３０ｍｍ以上となっている。
【００１９】
次に、第１実施形態の洗面台１を使用する様子につき、図５〜図７を参照しながら説明する。
車椅子に着座した使用者が洗面台１を使用する場合には、図５に示すように、使用者は、洗面台１に向かい合う。ここで、一般的に、車椅子の手すりの高さは、床面Ｇから６５０ｍｍ程度に設計されている。そのため、車椅子に着座した状態の使用者の脚の位置は、６５０ｍｍよりも若干低い位置に位置することとなる。
【００２０】
そこで、第１実施形態では、洗面ボール１０の手前側の端部から奥側に２００ｍｍの位置の下面の床面Ｇからの高さＨ２を６５０ｍｍ以上とした。これにより、使用者は、少なくとも、洗面ボール１０の手前側の端部から奥側に２００ｍｍの位置までは、脚を容易に進入させられる。また、図６に示すように、洗面台１を使用する場合に、使用者の手は、着座した状態の脚の位置よりも２００ｍｍ〜３００ｍｍ程度前方まで無理をすることなく届く。これにより、第１実施形態の洗面台１によれば、車椅子に着座した使用者の手が無理をなく水栓３０に届く位置まで、使用者が洗面台１に容易に近づけるので、車椅子等に着座した使用者による洗面台１の使用のしやすさを向上できる。
【００２１】
また、洗面ボール１０を、手前側湾曲部１２を含んで構成した。これにより、車椅子に着座した使用者が水栓３０に向かって手を伸ばした場合に、必要に応じて、使用者の腕（ひじ）を洗面ボール１０の上面で好適に支持させられる。また、洗面ボール１０の左右両側を奥側にへこんだ形状とできるので、洗面台１を使用する使用者を介助者が介助する場合に、介助者がより水栓に近い位置に立つことができる。
【００２２】
また、着座した状態で洗面台１において洗髪を行う場合、図７に示すように、使用者の頭の位置は、使用者の膝が入る位置の近傍に位置する。そこで、第１実施形態では、洗髪時に使用者の顔が対面する位置に位置する傾斜部１１を、下方に向かって凸に湾曲させた。これにより、洗面ボール１０の下方に脚進入空間４０を形成する必要性から、深さに制限のある洗面ボール１０を備えた洗面台であっても、洗面ボール１０に頭を十分にいれられる。よって、洗髪を行った場合に、水をはねにくくできるので、車椅子等に着座した使用者による洗面台１の使用のしやすさをより向上できる。
【００２３】
次に、本発明の第２実施形態に係る洗面台１について、図８を参照しながら説明する。尚、第２実施形態の説明にあたって、同一構成要件については同一符号を付し、その説明を省略もしくは簡略化する。
第２実施形態の洗面台１は、洗面ボール１０が深底部１５を更に備える点で第１実施形態と相違する。
より具体的には、深底部１５は、洗面ボール１０における傾斜部１１の奥側に設けられ、傾斜部１１の奥側の端部よりも深さが深く構成される。第２実施形態では、深底部１５は、略水平面となるように形成され、深底部１５の床面Ｇからの高さＨ４は、５００ｍｍ〜６００ｍｍとなっている。また、洗面ボール１０における手前側の端部から深底部１５までの深さＨ５は、１５０ｍｍ以上となっている。
【００２４】
第２実施形態の洗面台１によれば、第１実施形態と同様の効果を奏する他、以下の様な効果を奏する。
洗面ボール１０を、傾斜部１１の奥側に配置した深底部１５を含んで構成した。これにより、使用者の脚が進入しない位置において、洗面ボール１０の深さを深く構成できるので、使用者の脚の進入を制限することなく洗面ボール１０からの水はねをより低減できる。
【００２５】
以上、本発明の洗面台の好ましい各実施形態について説明したが、本発明は、上述した各実施形態に制限されるものではなく、適宜変更が可能である。
例えば、第１実施形態及び第２実施形態では、洗面ボール１０及び洗面カウンター２０を一体成形により構成したが、これに限らない。即ち、洗面ボールと洗面カウンターとを別々に成形した後、これらを組み合わせて洗面台を構成してもよい。
【符号の説明】
【００２６】
１  洗面台
１０  洗面ボール
１１  傾斜部
１２  手前側湾曲部
１５  深底部
２０  洗面カウンター
４０  脚進入空間
【図１】
2014014623.tif 000003
【図２】
2014014623.tif 000004
【図３】
2014014623.tif 000005
【図４】
2014014623.tif 000006
【図５】
2014014623.tif 000007
【図６】
2014014623.tif 000008
【図７】
2014014623.tif 000009
【図８】
2014014623.tif 000010